(57)【要約】【課題】本考案は、ＰＴＰ包装体の形態を、その製造段階において変更し、その表面又は裏面にメモ等を記載するスペースを確保した形態の薬剤包装体を提供することを目的とする。【解決手段】本考案に係る薬剤包装体Ａは、薬剤を収納するための複数の凸部１４を有する表面シート１０と、前記凸部に薬剤を収納した後、前記表面シートの裏面に貼着され、前記凸部を封鎖する裏面シートとからなり、少なくとも前記表面シート１０が、前記凸部１４の少なくとも１つの方向の長さに対して当該長さの２倍以上の幅Ａ１，Ａ２，Ａ３，Ａ４を有する余白部を当該凸部１４に隣接して有することを特徴とする。【選択図】  図１
0003214867.tif 000002
【実用新案登録請求の範囲】
【請求項１】
薬剤を収納するための複数の凸部を有する表面シートと、
前記凸部に薬剤を収納した後、前記表面シートの裏面に貼着され、前記凸部を封鎖する裏面シートとからなり、
少なくとも前記表面シートが、前記凸部の少なくとも１つの方向の長さに対して当該長さの２倍以上の余白部を当該凸部に隣接して有する
ことを特徴とする薬剤包装体。
【請求項２】
前記余白部が、１つの方向に隣接する凸部間に有する
ことを特徴とする請求項１に記載の薬剤包装体。
【請求項３】
前記余白部に、日付の記入欄、服用方法の記入欄、名前の記入欄及び薬効の記入欄のうち、いずれか１つ以上の記入欄を設けた
ことを特徴とする請求項１又は２に記載の薬剤包装体。
【請求項４】
服用方法の記入欄に、少なくとも１回の服用錠数を記入するスペースがあり、「食前」、「食間」、「食後」の文字が印字されている
ことを特徴とする請求項３に記載の薬剤包装体。
【考案の詳細な説明】
【技術分野】
【０００１】
本考案は、薬剤が収納されたＰＴＰ包装体等の薬剤包装体に関する。
【背景技術】
【０００２】
従来から、薬剤の包装技術の一つとして、ＰＴＰ(Press Through Package)包装が知られている。
【０００３】
このＰＴＰ包装体は、塩化ビニル樹脂等の合成樹脂を素材として薬剤を封入する凸部が一体成形で設けられ、凸部に錠剤又はカプセル剤を収納した後、その裏面にアルミ箔を凸部周囲の平面部に接着することにより封入されたものであって、当該凸部を錠剤又はカプセル剤と共にアルミ箔側に押圧し、アルミ箔を破ることにより収納された錠剤又はカプセル剤を取り出すことができるようになっている。
【０００４】
ところが、従来のＰＴＰ包装体は、携帯や保管に便利なように嵩張らず小型で、図５に示すように細幅の形態をなしている。そのため、服用者が、薬剤の種類、服用方法あるいは服用数量等をＰＴＰ包装体に直接記入することが困難であり、凸部に数字を記入する程度のことが行われているにすぎない。
【０００５】
服用者は、薬剤を受け取る際には薬剤師の薬剤の効能や服用方法等について説明を受けるが、その後は投薬袋の記載や薬剤とは別になっている薬の説明書を頼りにして服用しなければならず、そのため薬を誤って服用するおそれがあり、しばしば薬の飲み忘れが発生しているのが現状である。そして、薬の飲み忘れによる残薬発生が膨大な金額の損失になっている。
【０００６】
そこで、下記特許文献において、そのような誤飲や飲み忘れを防止するための提案がなされている。
【先行技術文献】
【特許文献】
【０００７】
【特許文献１】実開昭６１−１１３２５９号公報
【特許文献２】実開平  ２−  １７１３７号公報
【特許文献３】実開平  ２−１２９０７４号公報
【特許文献４】実開平  ６−  ２５１７１号公報
【特許文献５】実開平  ６−  ４２７４９号公報
【特許文献６】実開平  ６−  ４２７５０号公報
【特許文献７】特開平１０−  ５９４１５号公報
【特許文献８】特開平１０−  ２６４９６４号公報
【特許文献９】特開２００４−２９９７２８号公報
【特許文献１０】特開２００６−２４８５４５号公報
【特許文献１１】特開２００７−３３０４０１号公報
【考案の概要】
【考案が解決しようとする課題】
【０００８】
しかしながら、上記の提案はいずれも、ＰＴＰ包装体の上記従来の細幅の形態を変えることなく、ＰＴＰ包装体に印字したり、別体のシートを貼付したり、別容器に収納したりするものである。また、稀に重篤な患者に対して、短期間に必ず服用しなければならない薬剤については、服用方法が厳格であるため、その薬剤独自の服用方法の形式が印刷され、必要事項を病院側で記入できる薬剤包装体が使用されている例はある。しかし、一般的には、患者の病状に合わせて薬剤毎に服用方法が異なる多種類の薬剤を長期間分与えられ、患者側で個々の薬剤を管理して服用せざるを得ないのがほとんどであるところ、従来のＰＴＰ包装体は、その表面や裏面にメモ等を記載するスペースがなく、その結果、薬剤の誤飲及び飲み忘れという根本的な問題は未だに解決されていない。
【０００９】
そこで、本考案者は、鋭意研究をした結果、ＰＴＰ包装体の形態を、その製造段階において変更し、その表面又は裏面にメモ等を記載するスペースを確保した形態の薬剤包装体を開発した。
【課題を解決するための手段】
【００１０】
本考案の請求項１に係る薬剤包装体は、薬剤を収納するための複数の凸部を有する表面シートと、前記凸部に薬剤を収納した後、前記表面シートの裏面に貼着され、前記凸部を封鎖する裏面シートとからなり、少なくとも前記表面シートが、前記凸部の少なくとも１つの方向の長さに対して当該長さの２倍以上の余白部を当該凸部に隣接して有することを特徴とする。
【００１１】
本考案の請求項２に係る薬剤包装体は、上記請求項１の構成に加え、前記余白部が、１つの方向に隣接する凸部間に有することを特徴とする。
【００１２】
本考案の請求項３に係る薬剤包装体は、上記請求項１又は２の構成に加え、前記余白部に、日付の記入欄、服用方法の記入欄、名前の記入欄及び薬効の記入欄のうち、いずれか１つ以上の記入欄を設けたことを特徴とする。
【００１３】
本考案の請求項４に係る薬剤包装体は、上記請求項３の構成に加え、服用方法の記入欄に、少なくとも１回の服用錠数を記入するスペースがあり、「食前」、「食間」、「食後」の文字が印字されていることを特徴とする。
【考案の効果】
【００１４】
本考案の薬剤包装体は、上記のように構成したので、薬剤包装体を構成する表面シートの余白部に、又は、裏面シートの余白部に、必要に応じて、色々な記載をすることができる。
【００１５】
また、凸部間の余白部を従来のものより広くとった場合には、その余白部にも、必要に応じて、色々な記載をすることができる。
【００１６】
さらに、上記余白部に日付の記入欄、服用方法の記入欄、名前の記入欄及び薬剤の種類の記入欄を設けておくと、記入するのに便利である。
【００１７】
さらにまた、服用方法の記入欄に、１回の服用錠数を記入するスペースがあり、「食前」、「食間」、「食後」の文字が印字されていると、数字と○印を記入するだけで済むので便利である。
【図面の簡単な説明】
【００１８】
【図１】本考案の実施例１に係る薬剤包装体の平面図である。
【図２】図１のＡ−Ａ線概略断面図である。
【図３】図１の上方から見た斜視図である。
【図４】本考案の実施例２に係る薬剤包装体の平面図である。
【図５】従来例を示す平面図である。
【考案を実施するための形態】
【００１９】
以下、本考案に係る薬剤包装体の実施例１及び２について、添付の図面に基づき詳細に説明する。
【実施例１】
【００２０】
図１は実施例１を示し、図において、ＡはＰＴＰ包装体よりなる薬剤包装体を示し、薬剤包装体Ａは、錠剤が上下方向に５錠、左右方向に２錠、合計１０錠収納されているものであり、図２に示すように、表面シート１０と裏面シート１２とにより構成される。なお、錠剤数及び配置はこれに限られるものではない。
【００２１】
表面シート１０には、凸部１４が形成され、当該凸部１４に錠剤１６が収納されており、裏面シート１２により当該凸部が裏面側から封鎖されている。なお、図中の１８は切離線である。
【００２２】
実施例１の薬剤包装体Ａは、図５に示す従来例における薬剤包装体に比較して、次のように形態が変更されている。
【００２３】
まず、図１及び図５を参照しつつ、薬剤包装体Ａの左右方向について説明する。
【００２４】
本実施例における凸部１４の左右幅Ｂ１，Ｂ２の長さは、収納される薬剤の大きさに関係するので、従来例における凸部ｐの左右幅ｂ１，ｂ２の長さと同一にしてある。
【００２５】
そして、本実施例における左側凸部１４の左側余白部の左右幅Ａ１は、従来例の左側凸部ｐの左側余白部の左右幅ａ１の２倍の長さに設計されている。
【００２６】
また、本実施例における左側凸部１４と右側凸部１４との間の左右幅Ａ２は、従来例の左側凸部ｐと右側凸部ｐとの間の左右幅ａ２の２倍の長さに設計されている。
【００２７】
さらに、本実施例における右側凸部１４の右側余白部の左右幅Ａ３は、従来例の右側凸部ｐの右側余白部の左右幅ａ３の２倍の長さに設計されている。
【００２８】
以上の結果、本実施例は、従来例に比較し、左右方向において薬剤包装体Ａの左部、左側凸部１４と右側凸部１４との中間部及び右部にそれぞれ２倍の広さの余白部が形成されている。なお、余白部の広さは２倍に限られるものではなく、２倍以上であればよい。また、左側凸部１４と右側凸部１４との中間部の左右幅Ａ２は広げなくてもよい。
【００２９】
次に、図１及び図５を参照しつつ、薬剤包装体Ａの上下方向について説明する。
【００３０】
本実施例における凸部１４の上下幅Ｂ３，Ｂ４の長さは、収納される薬剤の大きさに関係するので、従来例における凸部ｐの上下幅ｂ３，ｂ４の長さと同一にしてある。
【００３１】
そして、本実施例における上側凸部１４と下側凸部１４との上下幅Ａ４は、従来例の上側凸部ｐと下側凸部ｐとの上下幅ａ４の２倍の長さに設計されている。
【００３２】
また、本実施例における最上部の凸部１４の上方の余白部の上下幅及び最下部の凸部１４の下方の余白部の上下幅も、従来例の最上部の凸部ｐの上方の余白部の上下幅及び最下部の凸部ｐの下方の余白部の上下幅の２倍の長さに設計されている。
【００３３】
以上の結果、本実施例は、従来例に比較し、上下方向において薬剤包装体Ａの上側凸部１４と下側凸部１４との中間部の上下幅Ａ４、最上部及び最下部にはそれぞれ２倍の広さの余白部が形成されている。なお、余白部の広さは２倍に限られるものではなく、２倍以上であればよい。また、上側凸部１４と下側凸部１４との中間部の上下幅Ａ４は広げなくてもよい。
【００３４】
上記のように薬剤包装体Ａを構成したため、凸部１４の上下左右の領域に、従来例に比較して左右２倍×上下２倍の４倍の面積の余白部が形成されることになり、その余白部に服用等に関して色々な記入をすることができる。
【００３５】
図１に、本実施例における左側凸部１４の左側余白部に対しての記入内容の１例を示す。すなわち、当該余白部には、記入例１及び２に示すように、服用者の名前、服用日、１回に服用する錠数、効能が記入できるようになっており、「朝」、「昼」、「夕」又は「就寝前」の選択ができ、「食前」、「食間」又は「食後」の選択ができるようになっている。
【００３６】
記入例１は、それが記入されている右横の錠剤について、服用者が「太郎」であり、１２月２５日金曜日の昼食後に２錠の咳止め薬を服用することを示す。記入例２は、それが記入されている右横の錠剤について、服用者が「花子」であり、発熱時に頓服として２錠の解熱剤を服用することを示す。
【実施例２】
【００３７】
図４は実施例２を示し、図において、１ＡはＰＴＰ包装体よりなる薬剤包装体を示し、薬剤包装体１Ａは、カプセル剤が上下方向に５カプセル、左右方向に２カプセル、合計１０カプセル収納されているものであり、実施例１と同様に、表面シート１１０とその裏面に貼着された裏面シートとにより構成される。なお、カプセル数及び配置はこれに限られるものではない。
【００３８】
表面シート１１０には、凸部１１４が形成され、当該凸部１１４にカプセル剤が封入されている。
【００３９】
実施例２の薬剤包装体１Ａは、従来のカプセル剤の薬剤包装体（不図示）に比較して、左側凸部１１４の左側余白部の左右幅１Ａ１、左側凸部１１４と右側凸部１１４との間の左右幅１Ａ２、及び、右側凸部１１４の右側余白部の左右幅１Ａ３が２倍の長さに設計されている。その結果、薬剤包装体１Ａは、左右方向において薬剤包装体１Ａの左部、左側凸部１１４と右側凸部１１４との中間部及び右部にそれぞれ２倍の広さの余白部が形成されている。なお、余白部の広さは２倍に限られるものではなく、２倍以上であればよい。また、左側凸部１１４と右側凸部１１４との中間部の左右幅１Ａ２は広げなくてもよい。
【００４０】
また、実施例２の薬剤包装体１Ａは、従来のカプセル剤の薬剤包装体（不図示）に比較し、上下方向において薬剤包装体１Ａの上側凸部１１４と下側凸部１１４との中間部の上下幅１Ａ４、最上部及び最下部にはそれぞれ２倍の広さの余白部が形成されている。なお、余白部の広さは２倍に限られるものではなく、２倍以上であればよい。また、上側凸部１１４と下側凸部１１４との中間部の上下幅１Ａ４は広げなくてもよい。
【００４１】
上記のように薬剤包装体１Ａを構成したため、実施例１と同様に、凸部１１４の上下左右の領域に、従来例に比較して左右２倍×上下２倍の４倍の面積の余白部が形成されることになり、その余白部に服用等に関して色々な記入をすることができる。
【００４２】
本考案のいくつかの実施例を説明したが、これら実施例は、例として提示したものであり、考案の範囲を限定することは意図していない。これら実施例は、その他の様々な形態で実施されることが可能であり、考案の要旨を逸脱しない範囲で、種々の省略、置き換え、変更を行うことができる。これら実施例やその変形は、考案の範囲や要旨に含まれると同様に、実用新案登録請求の範囲に記載された考案とその均等の範囲に含まれるものである。
【符号の説明】
【００４３】
Ａ…………薬剤包装体
１０………表面シート
１２………裏面シート
１４………表面シートの凸部
１６………錠剤
１８………切離線
Ｂ１，Ｂ２，ｂ１，ｂ２……凸部の左右幅
Ａ１，ａ１……左側凸部の左側余白部の左右幅
Ａ２，ａ２……左側凸部と右側凸部との間の左右幅
Ａ３，ａ３……右側凸部の右側余白部の左右幅
Ｂ３，Ｂ４，ｂ３，ｂ４……凸部の上下幅
Ａ４，ａ４……上側凸部と下側凸部との上下幅
１Ａ………薬剤包装体
１１０……表面シート
１１４……表面シートの凸部
１Ａ１……左側凸部の左側余白部の左右幅
１Ａ２……左側凸部と右側凸部との間の左右幅
１Ａ３……右側凸部の右側余白部の左右幅
１Ａ４……上側凸部と下側凸部との上下幅
【図１】
0003214867.tif 000003
【図２】
0003214867.tif 000004
【図３】
0003214867.tif 000005
【図４】
0003214867.tif 000006
【図５】
0003214867.tif 000007